【手続補正書】
【提出日】平成17年12月13日(2005.12.13)
【手続補正１】
【補正対象書類名】明細書
【補正対象項目名】特許請求の範囲
【補正方法】変更
【補正の内容】
【特許請求の範囲】
【請求項１】離散ウェーブレット変換またはサブバンド分割のいずれかを用いて、デジタル画像信号を複数の周波数帯域の変換係数に分割する帯域分割手段と、
固有のデジタル情報を疑似乱数列にマッピングするマッピング手段と、
分割された前記複数の周波数帯域のうち、最も低い周波数帯域（以下、ＭＲＡという）以外の複数の周波数帯域（以下、ＭＲＲという）の変換係数の全てもしくはその一部で構成した数列に前記疑似乱数列を埋込む情報埋込み手段と、
情報埋込み処理後の前記ＭＲＲと前記ＭＲＡとを用いて、前記疑似乱数列を埋込んだデジタル画像信号を再構成する帯域合成手段と
を備えたことを特徴とするデジタル情報埋込み装置。
【請求項２】疑似乱数列は平均値０、分散値１の正規分布から選ばれた数列であることを特徴とする請求項１記載のデジタル情報埋込み装置。
【請求項３】帯域分割手段は、デジタル画像信号を複数の周波数帯域の変換係数に分割する際に、複数の階層に分割し、
情報埋込み手段は、分割された複数の周波数帯域の中で第２階層以上のＭＲＲの変換係数の全てもしくはその一部で構成した数列に疑似乱数列を埋込むことを特徴とする請求項１または２記載のデジタル情報埋込み装置。
【請求項４】情報埋込み手段は、ＭＲＲのうち水平方向が高周波数成分で垂直方向が低周波数成分である領域（以下、ＨＬ領域という）の変換係数の全てもしくはその一部と水平方向が低周波数成分で垂直方向が高周波数成分である領域（以下、ＬＨ領域という）の変換係数の全てもしくはその一部とで構成した数列に疑似乱数列を埋込むことを特徴とする請求項１、２、または３記載のデジタル情報埋込み装置。
【請求項５】情報埋込み手段は、ＭＲＲのうち水平方向が高周波数成分で垂直方向が低周波数成分である領域（以下、ＨＬ領域という）の変換係数、および水平方向が低周波数成分で垂直方向が高周波数成分である領域（以下、ＬＨ領域という）の変換係数のいずれか一方の全てもしくはその一部から構成される数列に疑似乱数列を埋込むことを特徴とする請求項１、２、または３記載のデジタル情報埋込み装置。
【請求項６】デジタル画像信号を離散ウェーブレット変換またはサブバンド分割のいずれかにより分割し、最も低い周波数帯域（以下、ＭＲＡという）以外の複数の周波数帯域（以下、ＭＲＲという）の変換係数の全てもしくはその一部に第１の疑似乱数列を埋込み、更に再構成したデジタル画像信号を入力し、離散ウェーブレット変換またはサブバンド分割のいずれかを用いて、前記デジタル画像信号を複数の周波数帯域の変換係数に分割す
る帯域分割手段と、
分割された前記複数の周波数帯域のうち、前記ＭＲＲの変換係数で構成した数列と第２の疑似乱数列との内積を求める相関値算出手段と、
前記相関値算出装置の出力から第１の疑似乱数列を決定する疑似乱数列決定手段と、
決定した第１の疑似乱数列にマッピングした固有のデジタル情報を生成する情報生成手段と
を備えたことを特徴とするデジタル情報抽出装置。
【請求項７】疑似乱数列は平均値０、分散値１の正規分布から選ばれた数列であることを特徴とする請求項６記載のデジタル情報抽出装置。
【請求項８】疑似乱数列決定手段は相関値算出手段が出力する値が予め設定したしきい値より大きい場合に該当する疑似乱数列であると判断することを特徴とする請求項６または７記載のデジタル情報抽出装置。
【請求項９】離散ウェーブレット変換またはサブバンド分割のいずれかを用いて、デジタル画像信号を複数の周波数帯域の変換係数に分割するステップと、
固有のデジタル情報を疑似乱数列にマッピングするステップと、
分割された前記複数の周波数帯域のうち、最も低い周波数帯域（以下、ＭＲＡという）以外の複数の周波数帯域（以下、ＭＲＲという）の変換係数の全てもしくはその一部で構成される数列に前記疑似乱数列を埋込むステップと、
情報埋込み処理後の前記ＭＲＲと前記ＭＲＡとを用いて、前記疑似乱数列を埋込んだデジタル画像信号を再構成するステップと
を備えたことを特徴とするデジタル情報埋込み方法。
【請求項１０】疑似乱数列は平均値０、分散値１の正規分布から選ばれた数列であることを特徴とする請求項９記載のデジタル情報埋込み方法。
【請求項１１】帯域分割するステップは、デジタル画像信号を複数の周波数帯域の変換係数に分割する際に、複数の階層に分割し、
疑似乱数列を埋込むステップは、分割された複数の周波数帯域の中で第２階層以上のＭＲＲの変換係数の全てもしくはその一部で構成した数列に疑似乱数列を埋込むことを特徴とする請求項９または１０記載のデジタル情報埋込み方法。
【請求項１２】疑似乱数列を埋込むステップは、ＭＲＲのうち水平方向が高周波数成分で垂直方向が低周波数成分である領域（以下、ＨＬ領域という）の変換係数の全てもしくはその一部と水平方向が低周波数成分で垂直方向が高周波数成分である領域（以下、ＬＨ領域という）の変換係数の全てもしくはその一部とで構成した数列に疑似乱数列を埋込むことを特徴とする請求項９、１０または１１記載のデジタル情報埋込み方法。
【請求項１３】疑似乱数列を埋込むステップは、ＭＲＲのうち水平方向が高周波数成分で垂直方向が低周波数成分である領域（以下、ＨＬ領域という）の変換係数、または水平方向が低周波数成分で垂直方向が高周波数成分である領域（以下、ＬＨ領域という）の変換係数のいずれか一方の全てもしくはその一部から構成される数列に疑似乱数列を埋込むことを特徴とする請求項９、１０または１１記載のデジタル情報埋込み方法。
【請求項１４】デジタル画像信号を離散ウェーブレット変換またはサブバンド分割のいずれかにより分割した最も低い周波数帯域（以下、ＭＲＡという）以外の複数の周波数帯域（以下、ＭＲＲという）の変換係数の全てもしくはその一部で構成した数列に第１の疑似乱数列を埋込み、更に再構成したデジタル画像信号を入力し、離散ウェーブレット変換またはサブバンド分割のいずれかを用いて、前記デジタル画像信号を複数の周波数帯域の変換係数に分割するステップと、
分割された前記複数の周波数帯域のうち、前記ＭＲＲの変換係数で構成した数列と第２の疑似乱数列との内積を求めるステップと、
求めた内積の値から第１の疑似乱数列を決定するステップと、
決定した第１の疑似乱数列にマッピングした固有のデジタル情報を生成するステップと
を備えたことを特徴とするデジタル情報抽出方法。
【請求項１５】疑似乱数列は平均値０、分散値１の正規分布から選ばれた数列であるこ
とを特徴とする請求項１４記載のデジタル情報抽出方法。
【請求項１６】疑似乱数列を決定するステップは、求めた内積が予め設定したしきい値より大きい場合に該当する疑似乱数列であると判断することを特徴とする請求項１４または１５記載のデジタル情報抽出方法。
【請求項１７】離散ウェーブレット変換またはサブバンド分割のいずれかを用いて、デジタル画像信号を複数の周波数帯域の変換係数に分割するステップと、
固有のデジタル情報を疑似乱数列にマッピングするステップと、
分割された前記複数の周波数帯域のうち、最も低い周波数帯域（以下、ＭＲＡという）以外の複数の周波数帯域（以下、ＭＲＲという）の変換係数の全てもしくはその一部で構成される数列に前記疑似乱数列を埋込むステップと、
情報埋込み処理後の前記ＭＲＲと前記ＭＲＡとを用いて、前記疑似乱数列を埋込んだデジタル画像信号を再構成するステップと、
をコンピュータに実行させるためのプログラムを記録した記録媒体。
【請求項１８】デジタル画像信号を離散ウェーブレット変換またはサブバンド分割のいずれかにより分割した最も低い周波数帯域（以下、ＭＲＡという）以外の複数の周波数帯域（以下、ＭＲＲという）の変換係数の全てもしくはその一部で構成した数列に第１の疑似乱数列を埋込み、更に再構成したデジタル画像信号を入力し、離散ウェーブレット変換またはサブバンド分割のいずれかを用いて、前記デジタル画像信号を複数の周波数帯域の変換係数に分割するステップと、
分割された前記複数の周波数帯域のうち、前記ＭＲＲの変換係数で構成した数列と第２の疑似乱数列との内積を求めるステップと、
求めた内積の値から第１の疑似乱数列を決定するステップと、
決定した第１の疑似乱数列にマッピングした固有のデジタル情報を生成するステップと、をコンピュータに実行させるためのプログラムを記録した記録媒体。
【請求項１９】離散ウェーブレット変換またはサブバンド分割のいずれかを用いて、デジタル画像信号を複数の周波数帯域の変換係数に分割するステップと、
固有のデジタル情報を疑似乱数列にマッピングするステップと、
分割された前記複数の周波数帯域のうち、最も低い周波数帯域（以下、ＭＲＡという）以外の複数の周波数帯域（以下、ＭＲＲという）の変換係数の全てもしくはその一部で構成される数列に前記疑似乱数列を埋込むステップと、
情報埋込み処理後の前記ＭＲＲと前記ＭＲＡとを用いて、前記疑似乱数列を埋込んだデジタル画像信号を再構成するステップと、をコンピュータに実行させるためのプログラム。
【請求項２０】デジタル画像信号を離散ウェーブレット変換またはサブバンド分割のいずれかにより分割した最も低い周波数帯域（以下、ＭＲＡという）以外の複数の周波数帯域（以下、ＭＲＲという）の変換係数の全てもしくはその一部で構成した数列に第１の疑似乱数列を埋込み、更に再構成したデジタル画像信号を入力し、離散ウェーブレット変換またはサブバンド分割のいずれかを用いて、前記デジタル画像信号を複数の周波数帯域の変換係数に分割するステップと、
分割された前記複数の周波数帯域のうち、前記ＭＲＲの変換係数で構成した数列と第２の疑似乱数列との内積を求めるステップと、
求めた内積の値から第１の疑似乱数列を決定するステップと、
決定した第１の疑似乱数列にマッピングした固有のデジタル情報を生成するステップと、をコンピュータに実行させるためのプログラム。